(57)【要約】      （修正有）【課題】可逆式感温変色層によって温度を計測する非水銀・非電子式の温度計において、感熱部から該可逆式感温変色層への熱伝導構造を提供する。【解決手段】温度指示マーキングを有する構造２０を有する温度計用の熱伝導構造は、熱接触面４３を有するプローブ構造１５と、プローブ構造に隣接するように配置される温度指示部と、温度指示部の上に温度指示マーキング構造と重なるように形成される可逆的感温変色層３０Ｘとを含む。また、該プローブ構造は、熱流を可逆的感温変色層に伝導するように熱接触面を感知し、感知された温度及び感知された温度に応じる可逆的感温変色層の変色区域を生じさせて、それによって対応する温度値を表示するように構成される。【選択図】図５
0003173864.tif 000002
【実用新案登録請求の範囲】
【請求項１】
温度指示マーキングを有する構造を有する温度計用の熱伝導構造であって、
熱接触面を有するプローブ構造と、
前記プローブ構造に隣接するように配置される温度指示部と、
前記温度指示部の上に前記温度指示マーキングを有する構造と重なるように形成される可逆的感温変色層とを含み、
前記プローブ構造は、熱流を前記可逆的感温変色層に伝導するように熱接触面を感知し、感知された温度及び前記感知された温度に応じる前記可逆的感温変色層の変色区域を生じさせて、それによって対応する温度値を表示するように構成されることを特徴とする熱伝導構造。
【請求項２】
前記プローブ構造は、感知部と該感知部から延設された前記温度指示部とを含む熱伝導層であることを特徴とする請求項１に記載の熱伝導構造。
【請求項３】
前記感知部を覆い、前記熱伝導層の前記感知部を固定するように熱伝導接着剤が充填される先端部材をさらに有することを特徴とする請求項２に記載の熱伝導構造。
【請求項４】
前記感知部は、丸い形をした前端を含む前記先端部材の内壁に隣接することを特徴とする請求項３に記載の熱伝導構造。
【請求項５】
前記可逆的感温変色層は、前記温度指示マーキングを有する構造を覆うような所定の温度範囲内の第１の色状態を有し、
前記変色区域は、前記感知された温度が前記変色区域の変色温度より高い時に前記温度値を表示する第２の色状態又は透明状態を有し、前記感知された温度が前記変色温度より低い温度まで降温した時に、前記第１の色状態に戻ることを特徴とする請求項４に記載の熱伝導構造。
【考案の詳細な説明】
【技術分野】
【０００１】
本考案は、温度計に関わり、特に非水銀非電子式温度計に関する。
【背景技術】
【０００２】
健康管理の利用領域（health  care）においては、各種の材料及び方法が温度及びその変化を検知することに適用される。例えば、温度指示装置の最も一般的な例は水銀（mercury  bulb）温度計である。水銀温度計は、液体の体積が加熱されると膨張し、冷やされると収縮するという簡単な原理に基づくものである。水銀が非常に有毒であるため、水銀温度計は望ましくなる。実際には、多くの国は水銀及び水銀温度計の利用を積極的に禁止又は制限している。
【０００３】
電子式温度計は一般に伝統のガラス及び水銀温度計よりたくさんの利点を提供している。例えば、電子式温度計の利点としては、デジタル温度表示により読み取り誤差がなくなり、適切な回路設計及びキャリブレーションによって、高い精度及び正確さが可能となり、十分の一のカ氏温度まで正確に測定及び表示することを容易に実現することができる。
【０００４】
しかしながら、上記電子式温度計は回路構成及び／又はプロセッサチップが必要となるため高価なものである。また、当該電子式温度計は典型的に化学電池を電源として用いる。通常的には、電子式温度計は、患者が病気又は体の具合が悪い時しかを使わないため、長い間使用されていない。従って、化学電池を電源としてを用いる当該電子式温度計は環境に優しくない。
【考案の概要】
【考案が解決しようとする課題】
【０００５】
本考案は、上記問題点を解決できる非水銀非電子式体温計の熱伝導構造を提供することを目的としている。
【課題を解決するための手段】
【０００６】
本考案の一態様では、温度指示マーキング構造を有する温度計用の熱伝導構造であって、熱接触面を有するプローブ構造と、前記プローブ構造に隣接するように配置される温度指示部と、前記温度指示部の上に前記温度指示マーキング構造と重なるように形成される可逆的感温変色層とを含み、前記プローブ構造は、熱流を前記可逆的感温変色層に伝導するように熱接触面を感知し、感知された温度に応じて前記感知された温度及び前記可逆的感温変色層の変色区域を生じさせて、それによって対応する温度値を表示するように構成される熱伝導構造を提供する。
【図面の簡単な説明】
【０００７】
図１乃至図５に示すのは、本考案の非水銀非電子式体温計の熱伝導構造の好適な実施例であり、これらの実施例が説明に用いられるのみで、本考案は、これらの構造に限定されないものとする。
【図１】本考案の好適な実施例に係る非水銀非電子式体温計の熱伝導構造の概念図である。
【図２】本考案の好適な実施例に係る温度計の可逆的感温変色層の概念図である。
【図３】本考案の好適な実施例に係る温度計の概念図である。
【図４】本考案の好適な実施例に係る温度計の変色区域の概念図である。
【図５】本考案の好適な実施例に係る温度計の変色区域の概念図である。
【考案を実施するための形態】
【０００８】
図１乃至図４を参照し、温度計５０の一つの実施例を説明する。温度計５０は、熱接触面４３を有するプローブ構造１５と、プローブ構造１５に隣接する温度指示部１０ａと、温度指示部１０ａの上に温度指示マーキングを有する構造２０と重なるように形成される可逆的感温変色層３０とを含む。そのうち、プローブ構造１５は、熱流を温度指示部１０ａの上にある可逆的感温変色層３０に伝導するように熱接触面４３を感知するように構成される。温度が感知され、感知された温度に応じて変色状態を有する変色区域３０Ｘが生じられることによって、対応する温度値が温度指示マーキングを有する構造２０において表示される。この実施例では、プローブ構造１５は、感知部１０ｂ及び該感知部１０ｂから延設された温度指示部１０ａを含む熱伝導層であってもよい。プローブ構造１５は、感知部１０ｂを覆う先端部材４１をさらに任意的に有してもよい。
【０００９】
図３に示すように、温度計５０は保護構造４０を含み、保護構造４０はガラス材料又はプラスチック材料のような透明材料からなることが好ましい。保護構造４０は中空体であってもよい。先端部材４１は、保護構造４０に固定される熱接触面４３を有する。先端部材４１は、通常一定の量の熱容量を低減できるような中空の金属管であってもよい。好適には、先端部材４１は丸い形をした前端を含んでおり、その表面が柔らかい材料からなることが好ましい。また、先端部材４１には、熱伝導層１０の端部（感知部１０ｂ）を固定するように熱伝導接着剤が充填されることができる。
【００１０】
次に、図１及び図５に示すように、熱伝導層１０は、先端部材４１に配置される感知部１０ｂ及び保護構造４０に配置される温度指示部１０ａからなり、通常熱伝導性のよい金属材料からなる熱伝導フィルムから形成される。一つの実施例では、感知部１０ｂは、先端部材４１の前端又は内壁に隣接するように形成される。温度計は典型的に温度指示マーキングを有する構造２０を含み、温度指示マーキングは防水インクを温度指示部１０ａに（又はその上に）コーティング或いは印刷することで温度指示部１０ａに沿って展開される。好適には、防水インクは温度指示部１０ａに対応する保護構造４０の内壁又は外壁にコーティング或いは印刷されてもよい。
【００１１】
図２及び図４に示すように、可逆的感温変色層３０は、温度指示部１０ａの上に温度指示マーキングを有する構造２０と重なるように形成される。特に、可逆的感温変色層３０は、所定の温度範囲内の第１（初期）の色状態を有する。第１の色状態は温度指示マーキングを有する構造２０を覆うようにしたものである。動作中では、感知部１０ｂは、熱流を可逆的感温変色層３０に伝導するように熱接触面４３を感知するように構成される。図４に代表的に示すように、温度が感知され、感知された温度に応じて第２の色状態又は透明状態を有する変色区域３０Ｘが生じられることによって、対応する温度値が温度指示マーキングを有する構造２０において表示される。また、可逆的感温変色層３０の未変色（remaining）部３０Ｙは、感知された温度が当該状態を生じさせることに十分でないため、初期の色状態に維持したまま変色しない。
【００１２】
図２に示すように、温度指示部１０ａは、感知部１０ｂに隣接する近接端及び遠心端を含む。好適には、温度指示マーキングを有する構造２０における低温値３０ａが感知部１０ｂに隣接する近接端にマークされ、温度指示マーキングを有する構造２０における高温値３０ｎが遠心端にマークされる。一つの例においては、感温変色層３０は複数のブロック３０ａ〜３０ｎに分けられ、各ブロックそれぞれは変色温度に対応する。この構成においては、感知部１０ｂが熱流を可逆的感温変色層３０に伝導するように熱せられて、感知された温度より低い変色温度を有するブロックが、変色区域３０Ｘが対応する温度値を表示するように生じられるように、初期の色状態から第２の色状態又は透明状態に変わることができる。また、感知された温度が感知されたブロックの変色温度より低い温度まで徐々に降温した時に、変色区域３０Ｘが第１の色状態に戻ってもよい。
【００１３】
図４及び図５に示される例では、感知された温度が３７℃であると仮定すると、３７℃より低い変色温度を有するブロックを含む変色区域３０Ｘは、その初期の色状態から透明状態に変わる。一方、３７℃より高い変色温度を有するブロックを含む未変色部３０Ｙは、重なっている、温度指示マーキングを有する構造２０を覆うように初期の色状態に維持する。
【００１４】
図２は、熱伝導層１０の上に感温変色層３０を形成する方法を示している。一つの例においては、感温変色層３０は複数のブロック３０ａ〜３０ｎに分けられ、各ブロックそれぞれは変色温度に対応する染料（dye）から構成されてもよい。また、可逆的感温変色層３０は、一つのブロックはより高い変色温度のほうがより多い層を有するように構成される多層構造であってもよい。例えば、第１の可逆的感温変色染料は、温度指示部１０ａの全ての表面にコーティング或いは印刷されてもよい。そして、第１の可逆的感温変色染料は、ブロック３０ｂからブロック３０ｎを覆うように、温度指示部１０ａの表面の一部にコーティング或いは印刷されてもよい。即ち、最後の可逆的感温変色染料は、ブロック３０ｎのみにコーティング或いは印刷されてもよい。この構成では、最も低い変色温度を有するブロック３０ａはもっとも薄い厚さを有し、最も高い変色温度を有するブロック３０ｎはもっとも厚い厚さを有する。好適には、可逆的感温変色層３０の多層構造は異なる成分（ingredient）又はドーピング（doping）密度を有する数層から構成されてもよい。
【００１５】
このような温度計によれば、環境に汚染しやすい水銀及び化学電池を使用する必要がなくなる。
【００１６】
本考案の実施例をこれまでに説明してきたが、本考案は上記開示されている実施例に限定されないことは当業者には理解することができる。即ち、（当業者が）本考案に対して種々の変更、改善及び置換を行なうことができる。これらの変更、改善及び置換は全て添付の実用新案登録請求の範囲によって規定される本考案の範囲内に入る。
【符号の説明】
【００１７】
１５    プローブ構造
１０    熱伝導層
１０ａ  温度指示部
１０ｂ  感知部
２０    構造
３０    感温変色層
３０ａ、３０ｂ、３０ｎ  ブロック
４０    保護構造
４１    先端部材
４３    熱接触面
３０Ｘ  変色区域
３０Ｙ  未変色部
５０    温度計
【図１】
0003173864.tif 000003
【図２】
0003173864.tif 000004
【図３】
0003173864.tif 000005
【図４】
0003173864.tif 000006
【図５】
0003173864.tif 000007